(57)【要約】【課題】ケーブル端末作業時の作業性を向上させた、しなやかさを有する極細平型ケーブルと集合ケーブルを提供すること。【解決手段】横糸フィラメント１２と縦糸フィラメント１３で、複数本の極細同軸ケーブル１１を織ることで形成する極細平型ケーブル２０ａの、横糸フィラメント１２と縦糸フィラメント１３を着色して、識別用横糸フィラメント１２ｂ、識別用縦糸フィラメント１３ｂとする。これにより、識別用横糸フィラメント１２ｂ、識別用縦糸フィラメント１３ｂを目視するだけで、極細同軸ケーブル１１の両端部において、どの極細同軸ケーブル１１が一致するのかを判別することができ、ケーブル端末作業時の作業性を向上させたしなやかさを有する極細平型ケーブルと集合ケーブルを提供することが可能となる。【選択図】図６
2007257889.tif 000002
【特許請求の範囲】
【請求項１】
少なくとも、中心導体と、
前記中心導体の外周に被膜された絶縁体とを有するケーブルを、
複数本、平面状に並置してフラット状に成形し、並置されて隣接する前記ケーブルを、所定本数毎に多数本のフィラメントで織って集合した平型ケーブルであって、
前記平型ケーブルには、ケーブル識別部が備えられていることを特徴とする平型ケーブル。
【請求項２】
前記ケーブル識別部は、複数本、平面状に並置された前記平型ケーブルの前記ケーブルの内、端部の前記ケーブルに色を付けたものであることを特徴とする請求項１に記載の平型ケーブル。
【請求項３】
前記ケーブル識別部は、前記平型ケーブルを織る多数本の前記フィラメントに色を付けたものであることを特徴とする請求項１または２に記載の平型ケーブル。
【請求項４】
前記ケーブル識別部は、多数本の前記フィラメントのうち、複数本の前記ケーブルに並置された前記フィラメントに色を付けたものであることを特徴とする請求項１乃至３の何れか一項に記載の平型ケーブル。
【請求項５】
複数本の平型ケーブルを束ねた集合ケーブルにおいて、
請求項１乃至４の何れか一項に記載の前記平型ケーブルを丸型ケーブル構造にし、該平型ケーブルを複数本束ねて形成されることを特徴とする集合ケーブル。
【請求項６】
前記ケーブルは、極細同軸ケーブルであることを特徴とする請求項１乃至５の何れか一項に記載の平型ケーブル。
【発明の詳細な説明】
【技術分野】
【０００１】
本発明は、平型ケーブルのうち、ケーブル端末作業時の作業性を向上させた、特にしなやかさを有する平型ケーブル、及び該平型ケーブルを集合させた集合ケーブルに関する。
【背景技術】
【０００２】
従来、集合ケーブルのなかでも特にしなやかさを有するものとしては、複数本の極細同軸ケーブルを結束条で集合させたものを複数本まとめて集合ケーブルとしたものがある。この集合ケーブルでは、極細同軸ケーブルの絶縁体やジャケット、結束条が、極細同軸ケーブル、集合体毎に異なった色で着色されており、極細同軸ケーブルの絶縁体やジャケット、結束条の色を目視することによって、両端部のどの極細同軸ケーブルが一致するのかを判別することが可能となっている。（特許文献１）
しかしながら、複数本の極細同軸ケーブルの絶縁体やジャケット、結束条に異なる色を着色して、その両端部において極細同軸ケーブルの一致を判別する場合、極細同軸ケーブルの本数が多くなるとその分着色するための色が増えることになる。そのため、判別に使用する色及び判別に使用する色の組み合わせが増えることになるので極細同軸ケーブルの判別作業が煩雑になる。さらに、判別した極細同軸ケーブルを端末接続する際、順番に平面状に並べ替える整線作業が行えるように結束条を解くため、結束条によって集合された複数本の極細同軸ケーブルは、ばらばらになる。そのため、極細同軸ケーブルの本数が多くなると、ばらばらになった極細同軸ケーブルが多数端部にある状態になり、同色の極細同軸ケーブルが複数端部にあることになりかねない。そして、極細同軸ケーブルは、ばらばらになっているため混ざってしまう可能性があり、これによって端末接続の作業性が低下してしまう虞があった。
【０００３】
これに対し、判別に使用する色の種類を大幅に減らすことが可能な集合ケーブルとして、複数本の極細同軸ケーブルを、隣り合う極細同軸ケーブル同士が固定されていない非接着部と、隣り合う極細同軸ケーブル同士が固定されている平行接着部とに分けてフラット状にしたものを丸型ケーブルにして集合させた集合ケーブルがある。この集合ケーブルは、非接着部と平行接着部とを一定の間隔で設け、平行接着部によって複数本の極細同軸ケーブルを接着してケーブルユニット（フラットケーブル）としたものを、丸型ケーブル構造にして複数本まとめたものである。この丸型ケーブル構造におけるフラットケーブルでは、片方の側部にある２本の極細同軸ケーブルのみ着色されているので、着色された極細同軸ケーブルを目視することによって両端部のどの極細同軸ケーブルが一致するのか判別することが可能となっている。さらに、着色される極細同軸ケーブルも片方の側部のみなので、判別に使用する色の種類も大幅に減らすことが可能である。（特許文献２）
【特許文献１】特開２００３−１５７７３１号公報
【特許文献２】特開２００３−１２３５５２号公報（特許第３７１９１８４号）
【発明の開示】
【発明が解決しようとする課題】
【０００４】
上述した集合ケーブルでは、複数本の極細同軸ケーブルを平行接着部によって一定間隔を開けて接着することによりフラットケーブルとしたものを用いており、このフラットケーブルの片方の側部の極細同軸ケーブル２本を着色している。これにより、この集合ケーブルにおけるフラットケーブルでは、目視するのみで両端部のどの極細同軸ケーブルが一致するのか判別することができるだけでなく、判別した極細同軸ケーブルを端末接続するために順番に並べ替える際に、極細同軸ケーブルがフラットケーブルとしてまとめられているので簡単に並び替えることが可能である。
【０００５】
しかしながら、この集合ケーブルでは、例えば接着層付きテープを用いて極細同軸ケーブルを複数本接着している平行接着部をある一定間隔で設けることによってフラットケーブルとして形成しているため、テープの影響により平行接着部での外径が大きくなる。また、このフラットケーブルは、変形可能であるが、平行接着部によって極細同軸ケーブル同士が接着されてしまうため、この平行接着部では極細同軸ケーブル同士が滑らなくなり、しなやかに変形させることは不可能である。これは、例えば、集合ケーブルの細径化としなやかさが求められている医療用目的で使用される集合ケーブルの場合には、致命的な欠点となりかねない。
【０００６】
さらに、このフラットケーブルは、一定間隔で設けられている平行接着部では極細同軸ケーブル同士が接着されているが、その他の部分については非接着となっているため、フラットケーブルを長手方向の非接着部で切断した場合、極細同軸ケーブルの端部がばらばらになってしまう。そのため、極細同軸ケーブルを端末接続するために順番に並べ替える煩雑な作業を行うことになり作業性の低下に繋がる虞がある。
【０００７】
本発明は、上記のような種々の課題に鑑みなされたものであり、その目的は、しなやかさを有し、且つケーブル端末作業時の作業性を向上させた平型ケーブル及び該平型ケーブルの集合ケーブルを提供することにある。
【課題を解決するための手段】
【０００８】
上記目的達成のため、本発明の平型ケーブルでは、少なくとも、中心導体と、前記中心導体の外周に被膜された絶縁体とを有するケーブルを、複数本、平面状に並置してフラット状に成形し、並置されて隣接する前記ケーブルを、所定本数毎に多数本のフィラメントで織って集合した平型ケーブルであって、前記平型ケーブルには、ケーブル識別部が備えられていることを特徴としている。
【０００９】
これにより、本発明の平型ケーブルは、多数本のフィラメントで織ることによって形成されるため、しなやかに変形させることが可能な平型ケーブルとして形成されることになり、この平型ケーブルにケーブル識別部を設けることによって、目視するだけでケーブルの両端部においてどのケーブルが一致するのか判別することができる。この平型ケーブルは、織られて平型に形成されているため、どの位置で切断したとしてもケーブルがばらばらにならず、端末接続時にケーブルを並び替える必要がなくなる。従って、本発明では、しなやかさを有し、且つケーブル端末作業時の作業性を向上させた平型ケーブルを提供することができる。
【００１０】
また、本発明の平型ケーブルでは、前記ケーブル識別部は、複数本、平面状に並置された前記平型ケーブルの前記ケーブルの内、端部の前記ケーブルに色を付けたものであることを特徴としている。これにより、本発明では、平型ケーブルの側部のケーブルに色を着けることによってケーブル識別部を設けている。そのため、この側部のケーブルを目視しただけでケーブルの両端部において、どのケーブルが一致するのかを判別することができる。
【００１１】
また、本発明の平型ケーブルでは、前記ケーブル識別部は、前記平型ケーブルを織る多数本の前記フィラメントに色を付けたものであることを特徴としている。これにより、本発明では、平型ケーブルを織るフィラメントに色を着けてケーブル識別部としているので、フィラメントの色を目視することによって、ケーブルの両端部において、どのケーブルが一致するのか判別することができる。また、フィラメントに色を着けるだけなので、ケーブルは全て同じものを使用することも可能となり、コストを抑えることができる。さらに、ケーブルにも色をつけた場合、フィラメントの色と側部のケーブルの色との組み合わせによって、ケーブルの両端部において、どのケーブルが一致するのか判別することができる。従って、本発明では、ケーブル識別部によって、どの位置でも目視だけでケーブルの両端部を判別することが可能であり、さらに、複数本の平型ケーブルを判別することが可能な平型ケーブルを提供することができる。
【００１２】
また、本発明の平型ケーブルでは、前記ケーブル識別部は、多数本の前記フィラメントのうち、複数本の前記ケーブルに並置された前記フィラメントに色を付けたものであることを特徴としている。これにより、本発明では、平型ケーブルを織るフィラメントのうちケーブルの側部に設けられた縦糸となるフィラメントに色を着けてケーブル識別部としている。この平型ケーブルでは、側部の縦糸となるフィラメントのみに色を着けてケーブル識別部とするため、簡単にケーブル識別部を追加することが可能となる。従って、本発明では、ケーブル識別部を簡易に追加したしなやかさを有する平型ケーブルを提供することができる。
【００１３】
また、本発明では、上述した各前記平型ケーブルを丸型ケーブル構造にし、該平型ケーブルを複数本束ねて集合ケーブルとして形成されることを特徴としている。これにより、本発明では上述する各作用を奏することができる集合ケーブルを提供することができる。
【００１４】
また、本発明では、上述した各前記ケーブルは、極細同軸ケーブルであることを特徴としている。これにより、本発明では上述する各作用を奏することが可能な医療用等に使用される極細の平型ケーブルと、該平型ケーブルを集合させた集合ケーブルを提供することができる。
【発明を実施するための最良の形態】
【００１５】
以下、本発明の第１の実施形態を、図面を参照して説明する。尚、以下に説明する実施形態は特許請求の範囲に係る発明を限定するものではなく、また実施形態の中で説明されている特徴の組み合わせの全てが本発明の成立に必須であるとは限らない。
【００１６】
まず、第１の実施形態の集合ケーブル１００について図１を用いて説明する。図１（ａ）は、第１の実施形態の集合ケーブル１００の構造図であり、図１（ｂ）は、集合ケーブル１００の概略断面図である。
【００１７】
集合ケーブル１００は、図１（ａ）、図１（ｂ）に示されているように、シース１０１、一括シールド１０２、テープ１０３で巻いた部分、複数本の極細平型ラウンドケーブル１０を備えている。この集合ケーブル１００は、複数本の極細平型ラウンドケーブル１０を集合させてテープ１０３で巻いて、その上から一括シールド１０２を施してシース１０１で被覆したものである。そして、集合ケーブル１００の極細平型ラウンドケーブル１０は、シース１０１によって衝撃等の外的要因から保護され、一括シールド１０２によって電気的ノイズ等から保護される。また、極細平型ラウンドケーブル１０は、図１（ａ）に示されているように、端部で開くことが可能となっており、開くことによって極細平型ケーブル（平型ケーブル）１０ａとなる。つまり、本実施形態の極細平型ラウンドケーブル１０は、極細平型ケーブル１０ａを巻いてラウンドケーブル構造としたものである。次に、この極細平型ケーブル１０ａの詳細について、図２を用いて説明する。
【００１８】
図２（ａ）は、本実施形態の極細平型ケーブル１０ａの平面図であり、図２（ｂ）は極細平型ケーブル１０ａを極細平型ラウンドケーブル１０とした時の概略断面図である。図２（ａ）に示すように、本実施形態の極細平型ケーブル１０ａは、平面状に並置された、外径が極めて細い複数本の極細同軸ケーブル１１を備えており、これらの隣接する極細同軸ケーブル１１を、横糸フィラメント１２が交互に跨ぐようにして、横糸フィラメント１２にて所望に応じて所定本数毎に織るように設けられている。
【００１９】
横糸フィラメント１２は、複数本の隣接した極細同軸ケーブル１１の幅方向の両端で折り返されており、これが繰り返されることによって製織状のフラット状ケーブルが成形されている。その際、横糸フィラメント１２は、極細平型ケーブル１０ａの長手方向に対してジグザグ状に設けられており、この横糸フィラメント１２のジグザグのピッチは、所望に応じて設定され極細平型ケーブル１０ａのフラット状の形状が保持できる程度のピッチに設定されている。
【００２０】
従って、本実施形態の極細平型ケーブル１０ａでは、極細平型ケーブル１０ａのフラット状の形状を保持しつつ、横糸フィラメント１２によって極細平型ケーブル１０ａの屈曲が阻害されることがない。さらに、極細平型ケーブル１０ａは、織ることによってフラット状に形成しているため、極細平型ケーブル１０ａの長手方向に対しては極細同軸ケーブル１１同士がある程度摺動するようになっている。そのため、極細平型ケーブル１０ａでは、極細平型ケーブル１０ａ自体をしなやかに屈曲させることができる。
【００２１】
また、横糸フィラメント１２は、極細同軸ケーブル１１を織る際に極細同軸ケーブル１１に凹凸状の変形を与えないような太さのものが用いられており、これによって、上記極細同軸ケーブル１１に対して、特性インピーダンスなどの電気的特性に影響を与えることを防止することができる。
【００２２】
なお本実施形態では、横糸フィラメント１２に複数本の細いフィラメントを束ねたものを使用しており、極細同軸ケーブル１１と交わるとき、横糸フィラメント１２は偏平にばらけるようになっている。よって、本実施形態の極細平型ケーブル１０ａでは、極細同軸ケーブル１１に凹凸状の変化を与えず、特性インピーダンスなどの電気的特性に影響を与えることを防止し、さらに外径増加を抑制することが可能となっている。
【００２３】
また、複数本の隣接した極細同軸ケーブル１１の幅方向の側部には、縦糸フィラメント１３が並置された状態で追加挿入されており、この縦糸フィラメント１３で横糸フィラメント１２を折り返すことによって、極細同軸ケーブル１１に直接横糸フィラメント１２の張力の影響を与えることなくフラット状ケーブルを成形することができる。なお、本実施形態の極細平型ケーブル１０ａには、本実施形態の特徴的な部分であるケーブル識別部が設けられているが、このケーブル識別部については後に図５を用いて説明する。次に、極細同軸ケーブル１１について図３を用いて説明する。
【００２４】
図３は、本実施形態の極細同軸ケーブル１１の断面図である。図３に示すように、極細同軸ケーブル１１は、押出機（図示せず）を用いて、極細径の内部導体（中心導体）４の外周に、極めて薄い誘電体３を押出し被覆し、さらにこの誘電体３の外周に極細径の外部導体２ａを横巻きして外部導体層２を形成し、さらにこの外部導体層２の外周に、極めて薄いジャケット１を押出し被覆して形成した同軸ケーブルである。そして、本実施形態の極細平型ケーブル１０ａは、上述したように、この極細同軸ケーブル１１を縦糸とし、横糸フィラメント１２を横糸として所定本数毎に織ることによって形成されている。次に、本実施形態の極細平型ケーブル１０ａの使用態様について図４を用いて説明する。
【００２５】
図４は、本実施形態の極細平型ケーブル１０ａがコネクタ２００に接続されている状態を示す図である。本実施形態の極細平型ラウンドケーブル１０では、コネクタ２００等に接続する際端部を開いて極細平型ケーブル１０ａに変形させる。これは、コネクタ２００に設けられているコネクタ端子２０１（後述する図５参照）が平面状になっており、このコネクタ端子２０１に、極細平型ケーブル１０ａに複数本備えられている極細同軸ケーブル１１を１本ずつ接続しなければならないためである。
【００２６】
本実施形態の極細平型ケーブル１０ａは、横糸フィラメント１２によって織られているので、極細平型ケーブル１０ａを構成する極細同軸ケーブル１１の順番を並び替える必要はない。さらに、本実施形態の極細平型ケーブル１０ａでは、ケーブル識別部により、目視のみで極細平型ケーブル１０ａ、極細同軸ケーブル１１の両端部において、どのケーブルが一致するのか判別を行うことが可能な態様となっており、これによって、極細平型ラウンドケーブル１０を複数本集合させた集合ケーブルの極細平型ケーブル１０ａにおける両端部での煩雑な判別作業を行わずとも良いようになっている。次に、本実施形態の特徴的なケーブルの識別方法について、図５を用いて説明する。
【００２７】
図５は、本実施形態の極細平型ケーブル１０ａをコネクタ２００に接続する際の図である。図５において、本実施形態の極細平型ケーブル１０ａでは、複数本並んでいる極細同軸ケーブル１１のうち一側部にある極細同軸ケーブル１１のジャケット１を、他の極細同軸ケーブル１１のジャケットとは違う色にしており、これを識別用極細同軸ケーブル（ケーブル識別部）１１ａとしている。極細平型ケーブル１０ａでは、極細同軸ケーブル１１と、識別用極細同軸ケーブル１１ａとが縦糸として織られているため、極細同軸ケーブル１１、識別用極細同軸ケーブル１１ａの位置が入れ替わることがない。そのため、この識別用極細同軸ケーブル１１ａは、必ず極細平型ケーブル１０ａの一側部にくることになる。
【００２８】
従って、本実施形態の極細平型ケーブル１０ａでは、この識別用極細同軸ケーブル１１ａによって極細平型ケーブル１０ａを取り付ける向きを判別することができるため、極細平型ケーブル１０ａ両端部での端末作業を行う際に間違えずに極細同軸ケーブル１１、識別用同軸ケーブル１１ａをコネクタ端子２０１に端末接続することができる。また、極細平型ケーブル１０ａを複数本集合させて形成された集合ケーブル１００では、各極細平型ケーブル１０ａの識別用極細同軸ケーブル１１ａの色を変えることによって、この識別用極細同軸ケーブル１１ａを目視するだけで両端部のどの極細平型ケーブル１０ａが一致するのかを判別することができる。
【００２９】
さらに、本実施形態の極細平型ケーブル１０ａは、織られているためどこで切断したとしてもこの極細平型ケーブル１０ａの極細同軸ケーブル１１、識別用極細同軸ケーブル１１ａがばらばらになることがない。そのため、極細平型ケーブル１０ａをどこで切断したとしても、必ず一側部にこの識別用極細同軸ケーブル１１ａが目視可能な態様となるので、任意の長さに切断しても端末接続の作業性が低下することがない。
【００３０】
上述した各作用により、本実施形態では、しなやかさを有した極細平型ケーブル１０ａ及びこの極細平型ケーブル１０ａを集合させた集合ケーブル１００のケーブル端末作業時の作業性を向上させることができる。
【００３１】
次に、本発明の第２の実施形態について図６を用いて説明する。尚、第２の実施形態では、上述した第１の実施形態と重複する構成については同一番号を付し説明を省略する。このため、極細平型ケーブルの第１の実施形態とは異なる、本実施形態の特徴的な極細平型ケーブル２０ａについてのみ説明する。
【００３２】
図６は、本発明の第２の実施形態に係る極細平型ケーブル２０ａをコネクタ２００に接続する際の図である。図６において、本実施形態の極細平型ケーブル２０ａでは、複数本並んでいる極細同軸ケーブル１１を織っている、横糸フィラメント１２と縦糸フィラメント１３を着色しており、これをそれぞれ識別用横糸フィラメント１２ｂ（ケーブル識別部）、識別用縦糸フィラメント１３ｂ（ケーブル識別部）としている。即ち、本実施形態の極細平型ケーブル２０ａは、着色された識別用横糸フィラメント１２ｂ、識別用縦糸フィラメント１３ｂにより織られたことを特徴としている。
【００３３】
従って、本実施形態の極細平型ケーブル２０ａでは、この識別用縦糸フィラメント１３ｂによって極細平型ケーブル２０ａを取り付ける向きを判別することができるため、極細平型ケーブル２０ａ両端部での端末作業を行う際に間違えずに極細同軸ケーブル１１をコネクタ端子２０１に端末接続することができる。さらに、極細平型ケーブル２０ａを複数集合させて形成された集合ケーブル１００では、各極細平型ケーブル２０ａの識別用横糸フィラメント１２ｂ、識別用縦糸フィラメント１３ｂの色を変えることによって、この識別用横糸フィラメント１２ｂ、識別用縦糸フィラメント１３ｂを目視するだけで両端部のどの極細平型ケーブル２０ａが一致するのかを判別することができる。
【００３４】
さらに、本実施形態の極細平型ケーブル２０ａは、識別用横糸フィラメント１２ｂ、識別用縦糸フィラメント１３ｂにより織られているため、どこで切断したとしてもこの極細平型ケーブル２０ａの極細同軸ケーブル１１がばらばらになることがない。そして、極細平型ケーブル２０ａをどこで切断したとしても、必ず識別用横糸フィラメント１２ｂ、識別用縦糸フィラメント１３ｂが目視可能な態様となるので、任意の長さに切断しても目視だけで両端部のどの極細平型ケーブル２０ａが一致するのかを判別することができる。
【００３５】
上述した各作用により、本実施形態では、しなやかさを有する極細平型ケーブル２０ａ及びこの極細平型ケーブル２０ａを集合させた集合ケーブル１００のケーブル端末作業時の作業性を向上させることができる。さらに、本実施形態では、ケーブルの識別を色を着けた識別用横糸フィラメント１２ｂ、識別用縦糸フィラメント１３ｂにて行っているため、フィラメントで織ってフラット状にする極細平型ケーブルであれば、簡易に追加することが可能となり、コストを抑えることができる。
【００３６】
なお、本実施形態では、識別用横糸フィラメント１２ｂ、識別用縦糸フィラメント１３ｂの二つのケーブル識別部を設けているが、本発明の実施形態はこれに限定されるものではない。例えば、識別用横糸フィラメント１２ｂ、識別用縦糸フィラメント１３ｂのどちらか一方を設けても構わないし、また、第１の実施形態の識別用極細同軸ケーブル１１ａと組み合わせても構わない。これにより、本発明では、識別用極細同軸ケーブル１１ａ、識別用横糸フィラメント１２ｂ、識別用縦糸フィラメント１３ｂの組み合わせによって識別に使用する色の数を増やさずに、多数本の極細平型ケーブル１０ａ、２０ａを集合させた集合ケーブル１００を形成することが可能となる。
【００３７】
なお、識別用横糸フィラメント１２ｂのみを設けた場合、極細平型ケーブル２０ａでは、識別用横糸フィラメント１２ｂの折り目のピッチを両側部で変えて、そのピッチの幅を目視することによって、極細平型ケーブル２０ａの、極細同軸ケーブル１１の並びの向きを識別することが可能となる。
【００３８】
また、極細平型ケーブル１０ａでは、識別用極細同軸ケーブル１１ａのジャケット１の色を極細同軸ケーブル１１と変えていたが、これは誘電体３の色を変えても構わない。
【００３９】
また、本実施形態の極細同軸ケーブル１１は、ジャケット１は厚さ０．０２ｍｍのポリエステル、外部導体２ａは０．０３ｍｍの錫めっき軟銅線、誘電体３は厚さ０．０６５ｍｍのテトラフルオロエチレン−パーフルオロアルキルビニルエーテル共重合体（ＰＦＡ）、内部導体４は、０．０３ｍｍの錫めっき錫入り銅合金線を７本撚ったもの、シース１０１は厚さ０．６ｍｍのＰＶＣシース、一括シールド１０２は０．０５ｍｍの錫めっき軟銅線、テープ１０３は、多孔性テトラフルオロエチレン（ＥＰＴＦＥ）でそれぞれ形成されているが、本発明はこれに限定されるものではなく、上記各部材の太さ、本数、材質は変更されていても構わない。例えば、内部導体４は、太さ０．５ｍｍ以下のものであれば構わない。
【００４０】
また、本実施形態では、極細同軸ケーブル１１を、横糸フィラメント１２と、縦糸フィラメント１３で織って極細平型ケーブル１０ａとしているが、本発明の実施形態はこれに限定されるものではない。例えば、同軸ケーブルを横糸フィラメント１２と、縦糸フィラメント１３で織って平型ケーブルとし、これに本実施形態のケーブル識別部である識別用横糸フィラメント１２ｂ、識別用縦糸フィラメント１３ｂを設けても構わないし、同軸ケーブルを識別用極細同軸ケーブル１１ａのように形成しても構わない。
【００４１】
さらに、本実施形態の極細平型ケーブル１０ａ、２０aでは、極細同軸ケーブル１１を横糸フィラメント１２と、縦糸フィラメント１３で織って極細平型ケーブル１０ａ、２０ａとしているが、本発明の平型ケーブルに用いられるケーブルは、極細同軸ケーブル１１等の同軸ケーブルに限定されるものではなく、所謂単純線、即ち中心導体と、この中心導体の外周に被膜された絶縁体を有するケーブルを用いることもできる。
【００４２】
以上、第１及び第２の実施形態の極細平型ケーブル１０ａ、２０ａでは、少なくとも、内部導体４と、この内部導体４の外周に被膜された誘電体３とを有する極細同軸ケーブル１１を、複数本、平面状に並置してフラット状に成形し、並置されて隣接する前記極細同軸ケーブル１１を、所定本数毎に多数本の横糸フィラメント１２、縦糸フィラメント１３で織って集合した極細平型ケーブル１０ａ、２０ａであって、前記極細平型ケーブル１０ａ、２０ａには、ケーブル識別部となる、識別用極細同軸ケーブル１１ａ、識別用横糸フィラメント１２ｂ、識別用縦糸フィラメント１３ｂが備えられていることを特徴としている。
【００４３】
これにより、第１及び第２の実施形態の極細平型ケーブル１０ａ、２０ａは、多数本の横糸フィラメント１２、縦糸フィラメント１３で織ることによって形成されるため、しなやかに変形させることが可能な極細平型ケーブル１０ａ、２０ａとして形成されることになり、この極細平型ケーブル１０ａ、２０ａにケーブル識別部となる識別用極細同軸ケーブル１１ａ、識別用横糸フィラメント１２ｂ、識別用縦糸フィラメント１３ｂを設けることによって、目視するだけで極細同軸ケーブル１１の両端部においてどの極細同軸ケーブル１１が一致するのか判別することができる。この極細平型ケーブル１０ａ、２０ａは、織られて平型に形成されているため、どの位置で切断したとしても極細同軸ケーブル１１がばらばらにならず、端末接続時に極細同軸ケーブル１１を並び替える必要がなくなる。従って、本実施形態では、しなやかさを有し、且つケーブル端末作業時の作業性を向上させた極細平型ケーブル１０ａ、２０ａを提供することができる。
【００４４】
また、第１の実施形態の極細平型ケーブル１０ａでは、ケーブル識別部となる識別用極細同軸ケーブル１１ａは、複数本、平面状に並置された前記極細平型ケーブル１０ａの前記極細同軸ケーブル１１の内、端部の前記極細同軸ケーブル１１に色を付けたものであることを特徴としている。これにより、本実施形態の極細平型ケーブル１０ａでは、極細平型ケーブル１０ａの側部の極細同軸ケーブル１１に色を着けることによって識別用極細同軸ケーブル１１ａを設けている。そのため、この側部の識別用極細同軸ケーブル１１ａを目視しただけで極細同軸ケーブル１１の両端部において、どの極細同軸ケーブル１１が一致するのかを判別することができる。
【００４５】
また、第２の実施形態の極細平型ケーブル２０ａでは、ケーブル識別部となる識別用横糸フィラメント１２ｂ、識別用縦糸フィラメント１３ｂは、前記極細平型ケーブル２０ａを織る多数本の横糸フィラメント１２、縦糸フィラメント１３に色を付けたものであることを特徴としている。これにより、本実施形態では、極細平型ケーブル２０ａを織る横糸フィラメント１２、縦糸フィラメント１３に色を着けて識別用横糸フィラメント１２ｂ、識別用縦糸フィラメント１３ｂとしているので、この識別用横糸フィラメント１２ｂ、識別用縦糸フィラメント１３ｂの色を目視することによって、極細平型ケーブル１０ａ、２０ａの両端部において、どの極細同軸ケーブル１１が一致するのか判別することができる。また、横糸フィラメント１２、縦糸フィラメント１３に色を着けるだけなので、極細同軸ケーブル１１は全て同じものを使用することも可能となり、コストを抑えることができる。さらに、極細同軸ケーブル１１を織るための横糸フィラメント１２、縦糸フィラメント１３に色をつけて識別用横糸フィラメント１２ｂ、識別用縦糸フィラメント１３ｂとした場合、識別用横糸フィラメント１２ｂ、識別用縦糸フィラメント１３ｂの色と側部の識別用極細同軸ケーブル１１ａの色との組み合わせによって極細平型ケーブル１０ａ、２０ａの両端部において、どの極細平型ケーブル１０ａ、２０ａが一致するのか判別することができる。従って、本実施形態では、識別用横糸フィラメント１２ｂ、識別用縦糸フィラメント１３ｂによって、どの位置でも目視だけで極細同軸ケーブル１１の両端部を判別することが可能であり、さらに、複数本の極細平型ケーブル１０ａ、２０ａを判別することが可能な極細平型ケーブル２０ａを提供することができる。
【００４６】
また、第２の実施形態の極細平型ケーブル２０ａでは、ケーブル識別部となる識別用縦糸フィラメント１３ｂは、多数本の横糸フィラメント１２、縦糸フィラメント１３のうち、複数本の極細同軸ケーブル１１に並置された縦糸フィラメント１３に色を付けたものであることを特徴としている。これにより、本実施形態では、極細平型ケーブル２０ａを織る横糸フィラメント１２、縦糸フィラメント１３のうち、極細同軸ケーブル１１の側部に設けられた縦糸となる縦糸フィラメント１３に色を着けて識別用縦糸フィラメント１３ｂとしている。この極細平型ケーブル２０ａでは、側部の縦糸となる縦糸フィラメント１３のみに色を着けて識別用縦糸フィラメント１３ｂとするため、簡易にケーブル識別部となる識別用縦糸フィラメント１３ｂを追加することが可能となる。従って、本実施形態では、識別用縦糸フィラメント１３ｂを簡易に追加したしなやかさを有する極細平型ケーブル２０ａを提供することができる。
【００４７】
また、第１及び第２の実施形態では、上述した各前記極細平型ケーブル１０ａ、２０ａを前記極細平型ラウンドケーブル１０にし、該極細平型ラウンドケーブル１０を複数本束ねて集合ケーブル１００として形成されることを特徴としている。これにより、本実施形態では上述する各作用を奏することができる集合ケーブル１００を提供することができる。
【産業上の利用可能性】
【００４８】
本発明の平型ケーブルは、どのような機器でも適用可能である。例えば、計算機、コンピュータ、携帯電話等の電子機器でも適用可能であり、さらに、自動車、飛行機等の制御機器を狭小部に搭載する必要のある機械の制御回路にも適用可能である。特に、しなやかさが求められる医療用のケーブルに適用した場合に大きな効果を奏するものである。
【図面の簡単な説明】
【００４９】
【図１】本実施形態の集合ケーブル１００の説明図である。
【図２】本実施形態の極細平型ケーブル１０ａの説明図である。
【図３】本実施形態の極細同軸ケーブル１１の説明図である。
【図４】本実施形態の極細平型ケーブル１０ａがコネクタ２００に接続された状態を示す図である。
【図５】本実施形態の極細平型ケーブル１０ａがコネクタ端子２０１に端末接続された状態を示す図である。
【図６】本実施形態の他の極細平型ケーブル２０ａがコネクタ端子２０１に端末接続された状態を示す図である。
【符号の説明】
【００５０】
１  ジャケット
２  外部導体層
２ａ  外部導体
３  誘電体
４  内部導体（中心導体）
１０  極細平型ラウンドケーブル
１０ａ  極細平型ケーブル（平型ケーブル）
１１  極細同軸ケーブル
１１ａ  識別用極細同軸ケーブル（ケーブル識別部）
１２  横糸フィラメント
１２ｂ  識別用横糸フィラメント（ケーブル識別部）
１３  縦糸フィラメント
１３ｂ  識別用縦糸フィラメント（ケーブル識別部）
２０ａ  極細平型ケーブル
１００  集合ケーブル
１０１  シース
１０２  一括シールド
１０３  テープ
２００  コネクタ
２０１  コネクタ端子
【図１】
2007257889.tif 000003
【図２】
2007257889.tif 000004
【図３】
2007257889.tif 000005
【図４】
2007257889.tif 000006
【図５】
2007257889.tif 000007
【図６】
2007257889.tif 000008